【手続補正書】
【提出日】平成19年12月7日(2007.12.7)
【手続補正１】
【補正対象書類名】特許請求の範囲
【補正対象項目名】全文
【補正方法】変更
【補正の内容】
【特許請求の範囲】
【請求項１】
内燃機関を潤滑する潤滑油においての燃料希釈の度合いを加味して燃料の噴射を行う筒内噴射式内燃機関の燃料噴射制御装置において、
内燃機関の始動から現在までの運転時間の測定値と、内燃機関の始動から現在までの吸入空気量の積算値及び内燃機関の始動から現在までの燃料噴射量の積算値のいずれか一方とに基づいて、前記燃料希釈の度合いを推定する
ことを特徴とする筒内噴射式内燃機関の燃料噴射制御装置。
【請求項２】
請求項１に記載の筒内噴射式内燃機関の燃料噴射制御装置において、
内燃機関を冷却する冷却水の温度に基づいて前記燃料希釈の度合いを補正する
ことを特徴とする筒内噴射式内燃機関の燃料噴射制御装置。
【請求項３】
請求項１または２に記載の筒内噴射式内燃機関の燃料噴射制御装置において、
燃料希釈の度合いが増大中か否かを判定し、増大中でない旨の判定結果が得られるときに前記燃料希釈の度合いの推定を行う
ことを特徴とする筒内噴射式内燃機関の燃料噴射制御装置。
【請求項４】
内燃機関を潤滑する潤滑油に混入している燃料が同潤滑油から蒸発する量である蒸発燃料量について、これを加味して燃料の噴射を行う筒内噴射式内燃機関の燃料噴射制御装置において、
潤滑油においての燃料希釈の度合いに基づいて前記蒸発燃料量を推定する
ことを特徴とする筒内噴射式内燃機関の燃料噴射制御装置。
【請求項５】
内燃機関を潤滑する潤滑油に混入している燃料が同潤滑油から蒸発する量である蒸発燃料量について、これを加味して燃料の噴射を行う筒内噴射式内燃機関の燃料噴射制御装置において、
内燃機関の始動から現在までの運転時間の測定値と、内燃機関の始動から現在までの吸入空気量の積算値及び内燃機関の始動から現在までの燃料噴射量の積算値のいずれか一方とに基づいて、潤滑油においての燃料希釈の度合いを推定し、この推定した燃料希釈の度合いに基づいて前記燃料蒸発量を推定する
ことを特徴とする筒内噴射式内燃機関の燃料噴射制御装置。
【請求項６】
請求項４または５に記載の筒内噴射式内燃機関の燃料噴射制御装置において、
蒸発燃料量と燃料希釈の度合いとの間に比例関係が成り立つとした条件のもと、前記燃料希釈の度合いに基づく蒸発燃料量の推定を行う
ことを特徴とする筒内噴射式内燃機関の燃料噴射制御装置。
【請求項７】
内燃機関を潤滑する潤滑油においての燃料希釈の度合いを加味して燃料の噴射を行う筒内噴射式内燃機関の燃料噴射制御装置において、
潤滑油に混入している燃料が同潤滑油から蒸発する量を蒸発燃料量として、この蒸発燃料量と燃料希釈の度合いとの間に比例関係が成り立つとした条件のもと、別途の処理により推定された燃料希釈の度合いに基づいて蒸発燃料量を推定し、これを前記別途の処理による燃料希釈の度合いに反映させてそのときの燃料希釈の度合いとして設定する
ことを特徴とする筒内噴射式内燃機関の燃料噴射制御装置。
【請求項８】
請求項４〜７のいずれか一項に記載の筒内噴射式内燃機関の燃料噴射制御装置において、
潤滑油の温度に基づいて前記蒸発燃料量を補正する
ことを特徴とする筒内噴射式内燃機関の燃料噴射制御装置。
【請求項９】
請求項８に記載の筒内噴射式内燃機関の燃料噴射制御装置において、
前記潤滑油の温度に基づく蒸発燃料量の補正として、潤滑油の温度に基づいて蒸発燃料量の時間当たりの変化量を補正する
ことを特徴とする筒内噴射式内燃機関の燃料噴射制御装置。
【請求項１０】
請求項８または９に記載の筒内噴射式内燃機関の燃料噴射制御装置において、
潤滑油からの燃料の蒸発が始まるときの潤滑油の温度を蒸発温度とし、
この蒸発温度よりも高い温度を定常温度とし、
「潤滑油の温度が前記蒸発温度から前記定常温度に達するまでは潤滑油の温度の上昇にともない蒸発燃料量の時間当たりの変化量が増大する」を条件Ａとし、
「潤滑油の温度が前記定常温度以上となって以降は潤滑油の温度にかかわらず蒸発燃料量の時間当たりの変化量が略一定の値を示す」を条件Ｂとして、
潤滑油の温度と蒸発燃料量の時間当たりの変化量との間に前記条件Ａ及びＢの関係が成り立つとした条件のもと、前記潤滑油の温度に基づく蒸発燃料量の補正として、潤滑油の温度に基づいて蒸発燃料量の時間当たりの変化量を補正する
ことを特徴とする筒内噴射式内燃機関の燃料噴射制御装置。
【請求項１１】
請求項４〜１０のいずれか一項に記載の筒内噴射式内燃機関の燃料噴射制御装置において、
「推定した燃料希釈の度合いが基準の希釈度合いよりも大きい」を条件Ａとし、
「内燃機関の低負荷時における空燃比制御の学習値と基準の学習値とのずれが基準のずれよりも小さい」を条件Ｂとして、
これら条件Ａ及びＢが成立しているときの蒸発燃料量の時間当たりの変化量を前記条件Ａ及びＢの少なくとも一方が成立していないときの蒸発燃料量の時間当たりの変化量よりも大きく設定する
ことを特徴とする筒内噴射式内燃機関の燃料噴射制御装置。
【請求項１２】
請求項４〜１０のいずれか一項に記載の筒内噴射式内燃機関の燃料噴射制御装置において、
「推定した燃料希釈の度合いが基準の希釈度合いよりも大きい」を条件Ａとし、
「内燃機関の低負荷時における空燃比制御の学習値と基準の学習値とのずれが基準のずれよりも小さい」を条件Ｂとして、
これら条件Ａ及びＢが成立しているとき、そのときに把握している燃料希釈の度合いを内燃機関の前回の運転停止時に記憶された燃料希釈の度合いに応じた分だけ小さくし、これをそのときの燃料希釈の度合いとして設定する
ことを特徴とする筒内噴射式内燃機関の燃料噴射制御装置。
【手続補正２】
【補正対象書類名】明細書
【補正対象項目名】０００６
【補正方法】変更
【補正の内容】
【０００６】
以下、上記目的を達成するための手段及びその作用効果について記載する。
（１）請求項１に記載の発明は、内燃機関を潤滑する潤滑油においての燃料希釈の度合いを加味して燃料の噴射を行う筒内噴射式内燃機関の燃料噴射制御装置において、内燃機関の始動から現在までの運転時間の測定値と、内燃機関の始動から現在までの吸入空気量の積算値及び内燃機関の始動から現在までの燃料噴射量の積算値のいずれか一方とに基づいて、前記燃料希釈の度合いを推定することを要旨としている。
【手続補正３】
【補正対象書類名】明細書
【補正対象項目名】０００７
【補正方法】変更
【補正の内容】
【０００７】
燃料希釈の度合いは、シリンダの温度に応じて変化する。また、内燃機関の始動からの経過時間に応じても変化することが本発明者による試験等を通じて確認されている。
そこで、シリンダの温度と相関のある吸入空気量または燃料噴射量の積算値に加え、内燃機関の始動から現在までの運転時間を燃料希釈の度合いを推定するためのパラメータとして採用することで、燃料希釈の度合いを精度良く推定することができるようになる。また、次の請求項２に記載の発明のように、冷却水の温度に基づく燃料希釈の度合いの補正を行うことで、推定精度をより向上させることができるようになる。
【手続補正４】
【補正対象書類名】明細書
【補正対象項目名】０００８
【補正方法】変更
【補正の内容】
【０００８】
（２）請求項２に記載の発明は、請求項１に記載の筒内噴射式内燃機関の燃料噴射制御装置において、内燃機関を冷却する冷却水の温度に基づいて前記燃料希釈の度合いを補正することを要旨としている。
（３）請求項３に記載の発明は、請求項１または２に記載の筒内噴射式内燃機関の燃料噴射制御装置において、燃料希釈の度合いが増大中か否かを判定し、増大中でない旨の判定結果が得られるときに前記燃料希釈の度合いの推定を行うことを要旨としている。
【手続補正５】
【補正対象書類名】明細書
【補正対象項目名】０００９
【補正方法】変更
【補正の内容】
【０００９】
（４）請求項４に記載の発明は、内燃機関を潤滑する潤滑油に混入している燃料が同潤滑油から蒸発する量である蒸発燃料量について、これを加味して燃料の噴射を行う筒内噴射式内燃機関の燃料噴射制御装置において、潤滑油においての燃料希釈の度合いに基づいて前記蒸発燃料量を推定することを要旨としている。
（５）請求項５に記載の発明は、内燃機関を潤滑する潤滑油に混入している燃料が同潤滑油から蒸発する量である蒸発燃料量について、これを加味して燃料の噴射を行う筒内噴射式内燃機関の燃料噴射制御装置において、内燃機関の始動から現在までの運転時間の測定値と、内燃機関の始動から現在までの吸入空気量の積算値及び内燃機関の始動から現在までの燃料噴射量の積算値のいずれか一方とに基づいて、潤滑油においての燃料希釈の度合いを推定し、この推定した燃料希釈の度合いに基づいて前記燃料蒸発量を推定することを要旨としている。
【手続補正６】
【補正対象書類名】明細書
【補正対象項目名】００１０
【補正方法】変更
【補正の内容】
【００１０】
（６）請求項６に記載の発明は、請求項４または５に記載の筒内噴射式内燃機関の燃料噴射制御装置において、蒸発燃料量と燃料希釈の度合いとの間に比例関係が成り立つとした条件のもと、前記燃料希釈の度合いに基づく蒸発燃料量の推定を行うことを要旨としている。
（７）請求項７に記載の発明は、内燃機関を潤滑する潤滑油においての燃料希釈の度合いを加味して燃料の噴射を行う筒内噴射式内燃機関の燃料噴射制御装置において、潤滑油に混入している燃料が同潤滑油から蒸発する量を蒸発燃料量として、この蒸発燃料量と燃料希釈の度合いとの間に比例関係が成り立つとした条件のもと、別途の処理により推定された燃料希釈の度合いに基づいて蒸発燃料量を推定し、これを前記別途の処理による燃料希釈の度合いに反映させてそのときの燃料希釈の度合いとして設定することを要旨としている。
【手続補正７】
【補正対象書類名】明細書
【補正対象項目名】００１１
【補正方法】変更
【補正の内容】
【００１１】
蒸発燃料量と燃料希釈の度合いとの間には、比例関係が成り立つことが本発明者による試験等を通じて確認されている。そこで上記発明のように、燃料希釈の度合いに基づいて蒸発燃料量を推定することにより、燃料希釈の度合いを精度良く推定することができるようになる。
【手続補正８】
【補正対象書類名】明細書
【補正対象項目名】００１２
【補正方法】変更
【補正の内容】
【００１２】
（８）請求項８に記載の発明は、請求項４〜７のいずれか一項に記載の筒内噴射式内燃機関の燃料噴射制御装置において、潤滑油の温度に基づいて前記蒸発燃料量を補正することを要旨としている。
上記発明のように、潤滑油の温度に基づく蒸発燃料量の補正を行うことにより、推定精度を一層向上させることができるようになる。
【手続補正９】
【補正対象書類名】明細書
【補正対象項目名】００１３
【補正方法】変更
【補正の内容】
【００１３】
（９）請求項９に記載の発明は、請求項８に記載の筒内噴射式内燃機関の燃料噴射制御装置において、前記潤滑油の温度に基づく蒸発燃料量の補正として、潤滑油の温度に基づいて蒸発燃料量の時間当たりの変化量を補正することを要旨としている。
（１０）請求項１０に記載の発明は、請求項８または９に記載の筒内噴射式内燃機関の燃料噴射制御装置において、潤滑油からの燃料の蒸発が始まるときの潤滑油の温度を蒸発温度とし、この蒸発温度よりも高い温度を定常温度とし、「潤滑油の温度が前記蒸発温度から前記定常温度に達するまでは潤滑油の温度の上昇にともない蒸発燃料量の時間当たりの変化量が増大する」を条件Ａとし、「潤滑油の温度が前記定常温度以上となって以降は潤滑油の温度にかかわらず蒸発燃料量の時間当たりの変化量が略一定の値を示す」を条件Ｂとして、潤滑油の温度と蒸発燃料量の時間当たりの変化量との間に前記条件Ａ及びＢの関係が成り立つとした条件のもと、前記潤滑油の温度に基づく蒸発燃料量の補正として、潤滑油の温度に基づいて蒸発燃料量の時間当たりの変化量を補正することを要旨としている。
上記発明の態様をもって蒸発燃料量の補正を行うことにより、潤滑油の温度の影響を適切に蒸発燃料量に反映させることができるようになる。
【手続補正１０】
【補正対象書類名】明細書
【補正対象項目名】００１４
【補正方法】変更
【補正の内容】
【００１４】
（１１）請求項１１に記載の発明は、請求項４〜１０のいずれか一項に記載の筒内噴射式内燃機関の燃料噴射制御装置において、「推定した燃料希釈の度合いが基準の希釈度合いよりも大きい」を条件Ａとし、「内燃機関の低負荷時における空燃比制御の学習値と基準の学習値とのずれが基準のずれよりも小さい」を条件Ｂとして、これら条件Ａ及びＢが成立しているときの蒸発燃料量の時間当たりの変化量を前記条件Ａ及びＢの少なくとも一方が成立していないときの蒸発燃料量の時間当たりの変化量よりも大きく設定することを要旨としている。
【手続補正１１】
【補正対象書類名】明細書
【補正対象項目名】００１５
【補正方法】変更
【補正の内容】
【００１５】
筒内噴射式内燃機関においては、潤滑油の交換等により、制御装置に記憶されている燃料希釈の度合いと実際の燃料希釈の度合いとが大きく乖離することもある。実際の燃料希釈の度合いが大きいとき、潤滑油から蒸発して燃焼室へ供給される希釈燃料の量が多くなる。このため、内燃機関の低負荷時においては、空燃比制御の学習値が基準の学習値から大きくずれた値を示すようになる。一方で、実際の燃料希釈の度合いが小さいとき、潤滑油から蒸発して燃焼室へ供給される希釈燃料の量が少なくなる。このため、内燃機関の低負荷時において、空燃比制御の学習値と基準の学習値とのずれは、上記実際の燃料希釈の度合いが大きいときに比べて小さくなる。
【手続補正１２】
【補正対象書類名】明細書
【補正対象項目名】００１７
【補正方法】変更
【補正の内容】
【００１７】
そこで、上記発明では、こうした予測結果が得られた場合に、蒸発燃料量の時間当たりの変化量を大きい値に設定することで、実際の燃料希釈の度合いと記憶されている燃料希釈の度合いとのずれを小さくするようにしている。これにより、燃料希釈の度合いの推定精度が著しく悪化することを回避することができるようになる。
【手続補正１３】
【補正対象書類名】明細書
【補正対象項目名】００１８
【補正方法】変更
【補正の内容】
【００１８】
（１２）請求項１２に記載の発明は、請求項４〜１０のいずれか一項に記載の筒内噴射式内燃機関の燃料噴射制御装置において、「推定した燃料希釈の度合いが基準の希釈度合いよりも大きい」を条件Ａとし、「内燃機関の低負荷時における空燃比制御の学習値と基準の学習値とのずれが基準のずれよりも小さい」を条件Ｂとして、これら条件Ａ及びＢが成立しているとき、そのときに把握している燃料希釈の度合いを内燃機関の前回の運転停止時に記憶された燃料希釈の度合いに応じた分だけ小さくし、これをそのときの燃料希釈の度合いとして設定することを要旨としている。
【手続補正１４】
【補正対象書類名】明細書
【補正対象項目名】００２０
【補正方法】変更
【補正の内容】
【００２０】
従って、上記発明の構成を採用することによっても、推定した燃料希釈の度合いと実際の燃料希釈の度合いとのずれを小さくして、燃料希釈の度合いの推定精度が著しく悪化することを回避することができるようになる。